(57)【要約】【課題】２段構造になっている配線器具の電線の解放を容易にして、配線の作業効率を向上させる。【解決手段】配線ダクト１０１の一端部１０９に連結されて、配線ダクト１０１に電線１１０を電気的に接続するためのものであって、配線ダクト１１０と電気的に接続される導電部１４３ａ、１４３ｂ、及び電線１１０を導電部１４３ａ、１４３ｂと挟んで係止するための弾性部１４４ａ、１４４ｂを有する複数の端子部１３９ａ、１３９ｂと、端子部１３９ａ、１３９ｂを夫々収容する第１筐体、及び第２筐体１８０と、第１筐体１３０、及び第２筐体１８０の表面１３１に夫々設けられ、電線１１０を端子部１３９ａ、１３９ｂから解放するための解放部材１６０とを備え、第１筐体１３０は、第２筐体１８０の解放部材１６０が配置される位置とは外れた位置の第２筐体１８０の表面１３１に配置される。【選択図】図７
2022002178.tif 000002
【特許請求の範囲】
【請求項１】
配線ダクトの一端部に連結されて、前記配線ダクトに電線を電気的に接続するための配線接続器具であって、
前記配線ダクトと電気的に接続される導電部、及び前記電線を前記導電部と挟んで係止するための弾性部を有する複数の端子部と、
前記端子部を夫々収容する第１筐体、及び第２筐体と、
前記第１筐体、及び第２筐体の表面に夫々設けられ、前記電線を前記端子部から解放するための解放部材と、を備え、
前記第１筐体は、前記第２筐体の前記解放部材が配置される位置とは外れた位置の前記第２筐体の表面に配置される、配線接続器具。
【請求項２】
前記第１筐体は前記表面を一面に有する箱状であり、前記電線を前記第１筐体内に挿入するための第１挿入孔が前記表面から立設する側面に設けられ、
前記第２筐体は前記表面を一面に有する箱状であり、前記電線を前記第２筐体内に挿入するための第２挿入孔が前記表面から立設する側面に設けられ、
前記第１筐体の表面の反対側が前記第２筐体の表面と対向し、且つ前記第１挿入孔と前記第２挿入孔が同じ向きになるように前記第１筐体が前記第２筐体に配置され、
前記第１挿入孔と前記第２挿入孔との間に前記第２筐体の解放部材が配置される、請求項１に記載の配線接続器具。
【請求項３】
前記第２筐体が配置される金属製のベース部を備え、
前記ベース部には、前記第２筐体の挿入孔と所定の距離を離してアース端子部が設けられる、請求項１または請求項２に記載の配線接続器具。
【請求項４】
前記第２筐体は、前記表面が凹んでいる凹部を有し、
前記第１筐体は、前記第２筐体の前記凹部に嵌めて配置される、請求項１〜請求項３のいずれか一項に記載の配線接続器具。
【請求項５】
前記第１筐体は、ネジによって前記第２筐体に取り付けられている、請求項１〜請求項４のいずれか一項に記載の配線接続器具。
【請求項６】
請求項１〜請求項５のいずれか一項に記載の配線接続器具と、
前記配線ダクトと、
を備えた配線器具。
【発明の詳細な説明】
【技術分野】
【０００１】
本開示は、配線ダクトに送り配線をするための配線接続器具及びこれを備えたことを特徴とする配線器具に関する。
【背景技術】
【０００２】
従来から、照明装置やコンセントを任意の場所に取り付け可能で、かつ、いずれの取り付け位置でも給電可能とする配線ダクトが用いられている。この配線ダクトの一端部は、商用電源からの電力が供給される電線を配線ダクトに機械的及び電気的に接続するための配線接続器具を備えている。
【０００３】
この配線接続器具は、天井面などに設置された場合に、接続された電線を室内側から解放するための解放部材が設けられている。（例えば、特許文献１）。
【０００４】
近年、例えば、２００Ｖの照明電源と１００Ｖのコンセント電源を１本の配線ダクトで接続する需要が増加しており、この場合、配線ダクトは２００Ｖ用の内の導体は２段構成になる。（例えば、特許文献２）
【先行技術文献】
【特許文献】
【０００５】
【特許文献１】特開２００３−１９７０２６号公報
【特許文献２】米国特許６，２７４，８１７号
【発明の概要】
【発明が解決しようとする課題】
【０００６】
その場合、上述した配線器具もこの２段構成に合わせて、電線を上下２段に分けて挿入するように入線口を構成し、配線ダクトの端部に設置することが考えられる。このように、配線接続器具の入線口を上下２段になるようにすると、天井面側の入線口に入る電線の解放部材が下の入線口が邪魔になって配置できなくなるため、上段の電線が室内側からどのように解放するのか課題があった。
【０００７】
本開示は、このような課題に鑑みてなされたものであり、２段構造になっている入線口を有する配線接続器具の電線の解放を容易にして、配線の作業効率を向上させることを目的とする。
【課題を解決するための手段】
【０００８】
本開示の一様態に係る配線接続器具は、配線ダクトの一端部に連結されて、配線ダクトに電線を電気的に接続するためのものであって、配線ダクトと電気的に接続される導電部、及び電線を導電部と挟んで係止するための弾性部を有する複数の端子部と、端子部を夫々収容する第１筐体、及び第２筐体と、第１筐体、及び第２筐体の表面に夫々設けられ、電線を前記端子部から解放するための解放部材とを備え、第１筐体は、第２筐体の解放部材が配置される位置とは外れた位置の前記第２筐体の表面に配置される。
【０００９】
本開示の一様態に係る配線器具は、配線接続器具と、配線ダクトとを備える。
【発明の効果】
【００１０】
本開示の配線接続器具は、２段構造になっている配線器具の電線の解放を容易にして、配線の作業効率を向上させる。
【図面の簡単な説明】
【００１１】
【図１】実施の形態１に係る配線器具の外観を示す斜視図である。
【図２】実施の形態１に係る配線ダクトを示す斜視図である。
【図３】実施の形態１に係る配線接続器具を示す分解側面図である。
【図４】実施の形態１に係る端子装置を示す側面図である。
【図５】実施の形態１に係る配線接続器具を示す側面図である。
【図６】実施の形態１に係る配線接続器具を示す側断面図である。
【図７】実施の形態１に係る配線接続器具を示す斜視図である。
【図８】実施の形態２に係る配線接続器具を示す斜視図である。
【発明を実施するための形態】
【００１２】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１３】
なお、各図は模式図であり、必ずしも厳密に図示されたものではない。
【００１４】
また、各図において、実質的に同一の構成に対しては同一の符号を付しており、重複する説明は省略または簡略化される場合がある。
【００１５】
（実施の形態１）
図１に示すように、本実施の形態の配線器具１００は、細長い矩形状に形成されて、配線ダクト１０１と、配線接続器具１２０とを備えていて、例えば、建物の部屋の天井、または建物の屋外に設けられている屋根などの設置面に配設されていて、図示しない照明器具を任意の取り付け位置に取り付け可能とすると共に、照明器具のいずれの取り付け位置でも給電可能としたものである。
【００１６】
この配線器具１００は、例えば、工場、学校、店舗、病院及びオフィスなどの非住宅であってもよいし、戸建住宅、及び集合住宅などの住宅に取り付けられてあってもよく、特に限定されることはない。
【００１７】
図２に示すように、配線ダクト１０１は、断面略コ字形で、長尺に形成されて、絶縁性を有する合成樹脂で構成されている。配線ダクト１０１の下面には開口部１０２が長手方向Ｘ（左右方向）に沿って形成されていると共に、この開口部１０２の両側に対の支持縁部１０３が形成されている。また、配線ダクト１０１の開口部１０２と反対の上面には、天井面などの設置面に取り付けるための略円柱状の複数のポール１０４が連結されている。
【００１８】
なお、配線ダクト１０１の開口部１０２と反対の上面には、設置面に対してねじなどで取り付けるための図示しない取り付け孔が形成されてあってもよく、特に限定されることはない。ここでの上面とは、配線ダクト１０１を天井などの設置面に取り付けた場合の設置面側の面で、下面とは、設置面とは反対側の面である。
【００１９】
配線ダクト１０１の内側の両側位置には対の導体保持部１０５が長手方向Ｘに沿って支持縁部１０３と一体に形成され、これら各導体保持部１０５には電気を供給する一対の給電路（以下、導体１０６と称する）が長手方向Ｘに沿って取り付けられている。
【００２０】
配線ダクト１０１は、電力の供給経路を構成し、その開口部１０２に、ターミナルプラグ１０７やコンセントプラグ１０８などを導体１０６に接続することで、ターミナルプラグ１０７またはコンセントプラグ１０８を介して繋がれた照明器具などに電力を供給することができる。
【００２１】
なお、配線ダクト１０１は、その開口にリーラ―コンセントプラグが接続されてあってもよい。
【００２２】
次に、配線ダクト１０１に電線１１０を電気的に接続するジョインタである配線接続器具１２０の構造について、詳しく述べる。
【００２３】
図１に示すように、配線接続器具１２０は、配線ダクト１０１の長手方向Ｘの端部１０９に設けられて、配線ダクト１０１の導体１０６を給電したり、一対の導体１０６同士を接続したりするものである。
【００２４】
図３に示すように、配線接続器具１２０は、第１筐体１３０と、第２筐体１８０と、ベース部１２１と、ケース部１２２と、設置部１２３とで構成されている。
【００２５】
本実施の形態で、配線接続器具１２０は、天井面などの設置面に取り付けられるベース部１２１に対して、設置部１２３、第２筐体１８０、第１筐体１３０の順番にネジなどで取り付けられて、ケース部１２２が第１筐体１３０と第２筐体１８０と設置部１２３を天井面などの設置面と反対側から収納している。
【００２６】
第１筐体１３０は、平面視略矩形状の表面１３１（図７に図示）を一面に有する箱状であり、表面１３１の各端縁から側面１３３が厚さ方向Ｚに対して略垂直に立設していて、一面（図３の上面）が開口し、絶縁性の合成樹脂で形成されている。図７に示すように、第１筐体１３０の表面１３１には、後述する解放部材１６０を嵌入する略矩形状の嵌入孔１６１が形成されている。
【００２７】
なお、厚さ方向Ｚとは、長手方向Ｘと幅方向Ｙと直交する方向である。
【００２８】
なお、本明細書では、第１筐体１３０の表面１３１とは、第１筐体１３０の底を形成している底部のうち、第１筐体１３０を外側から見た底部側を表面１３１と定義する。
【００２９】
第１筐体１３０は、長手方向Ｘの一端である先端側部分１３２ａと、長手方向Ｘの他端で先端側部分１３２ａよりも僅かに幅広の基端側部分１３２ｂ（以下、端子装置と称する。）とに区分され、この先端側部分１３２ａが、配線ダクト１０１の端部１０９を閉じる。
【００３０】
先端側部分１３２ａには、その両側面から所定範囲内で幅方向Ｙに突出自在となるように、全体として長板状をなす接触子１２４を、一対備えている。
【００３１】
幅方向Ｙとは、長手方向Ｘと直交する方向である。なお、配線接続器具１２０の説明に用いる長手方向Ｘは、配線ダクト１０１の説明で用いた長手方向Ｘと一致する方向である。
【００３２】
先端側部分１３２ａが配線ダクト１０１内に挿入された場合に、接触子１２４の一対は、それぞれ対応する配線ダクト１０１の一対の導体１０６に弾接する。これによって、接触子１２４と導体１０６が１対１で電気接続される。
【００３３】
また、先端側部分１３２ａ内には、一対の接触子１２４が互いに接触することを防止する仕切り壁１３５を、長手方向Ｘに沿って形成している。そして、幅方向Ｙの中央部に位置する仕切り壁１３５と、これに隣接する一対の接触子１２４との間に、接触子１２４に接触して第１筐体１３０の外側方への付勢力を付与する弾性体１３６を配置している。
【００３４】
弾性体１３６は、接触子１２４に対して独立して弾性力を付与するものであり、１つの接触子１２４の内側方に、これと対応する弾性体１３６を複数（本実施の形態では一対）配置している。この一対の弾性体１３６は、長手方向Ｘに沿って一列をなすように並設されている。
【００３５】
第１筐体１３０の基端側部分１３２ｂは、中央部に少なくとも２つの取り付けネジ孔１３７と、仕切り部１３８と、端子部１３９が設けられ、Ｘ方向端部側の側面１３３には、電線１１０が挿入される複数の挿入孔１３４が形成されている。
【００３６】
挿入孔１３４は、略円筒状に形成され、本実施の形態では、４つ形成されていることが好ましい。つまり、先端側部分１３２ａと対向する側面１３３には、図３の紙面の手前側から順番に、第１挿入孔１３４ａ、第２挿入孔１３４ｂ、第３挿入孔１３４ｃ、第４挿入孔ｄが幅方向Ｙに対して一列になるように並んで形成されている。
【００３７】
取り付けネジ孔１３７は、略円筒状に形成され、第１筐体１３０を、設置部１２３、及び第２筐体１８０とを介して、ネジなどによってベース部１２１に取り付けるためのものである。こうした構造をとることによって、第１筐体１３０と第２筐体１８０は、ベース部１２１に容易に取り付けることができる。
【００３８】
仕切り部１３８は、第１筐体１３０の内部空間で長手方向Ｘに延設して、内部空間を幅方向Ｙに仕切って、一対の収納室１４０を形成している。一対の収納室１４０には、それぞれ第１端子部１３９ａと第２端子部１３９ｂとを収容している。こうした構造をとることによって、第１筐体１３０の限られた幅方向Ｙの幅に、後述する複数の第１弾性部１４４ａ、及び第２弾性部１４４ｂを並設することができる。
１に取り付けるためのものである。
【００３９】
本明細書では、第１端子部１３９ａと第２端子部１３９ｂは、端子部１３９と同じものを指す。
【００４０】
仕切り部１３８は、図３のＡ方向（つまり、長手方向Ｘの側面１３３側）から配線接続器具１２０を見て、中央の隣接する挿入孔１３４の間、つまり、第２挿入孔１３４ｂと第３挿入孔１３４ｃとの間の位置にくるように形成されている。
【００４１】
第１端子部１３９ａは、第１挿入孔１３４ａと第２挿入孔１３４ｂに対向するように、一方の収納室１４０に収納されている。第２端子部１３９ｂは、第３挿入孔１３４ｃと第４挿入孔１２５ｄに対向するように、他方の収納室１４０に収納されている。なお、第１端子部１３９ａは、第３挿入孔１３４ｃと第４挿入孔１３４ｄに対向するように他方の収納室１４０に収納されてもよく、特に限定されることはない。
【００４２】
図４に示すように、第１端子部１３９ａは、第１本体部１４１ａから立設する第１挟持部１４２ａを含む第１導電部１４３ａと、電線１１０を第１挟持部１４２ａとの間に挟んで係止するための第１弾性部１４４ａとを有している。
【００４３】
第２端子部１３９ｂは、第２本体部１４１ｂから立設する第２挟持部１４２ｂを含む第２導電部１４３ｂと、電線１１０を第２挟持部１４２ｂとの間に挟んで係止するための第２弾性部１４４ｂとを有している。
【００４４】
第１導電部１４３ａの本体部分である第１本体部１４１ａは、板状の金属部材が折り曲げられて、側面視略Ｕ字状に形成されていて、第１底部１４５ａと一対の第１側壁部１４６ａと第１挟持部１４２ａと、導電性部材１５５と、で構成されている。
【００４５】
第１底部１４５ａは、平面視略矩形状で、設置部１２３に当接して配設される。また、第１底部１４５ａは、第１導電部１４３ａの後述する一対の第１側壁部１４６ａで囲まれた内部側の略中央に、長手方向Ｘに沿って２つの略円柱状の突起１４７ａが形成されている。この突起１４７ａを挟むように、後述する２つの第１弾性部１４４ａが、第１導電部１４３ａ内に並設される。
【００４６】
なお、端子部１３９の説明に用いる長手方向Ｘ、幅方向Ｙ、厚さ方向Ｚは、配線ダクト１０１の説明で用いた長手方向Ｘ、幅方向Ｙ、厚さ方向Ｚと一致する方向である。
【００４７】
一対の第１側壁部１４６ａは、側面視略矩形状で、第１底部１４５ａの幅方向Ｙの端縁から表面１３１側に向かって立設するように折り曲げられて形成されている。つまり、一対の第１側壁部１４６ａは、互いに対向している。これにより、一対の第１側壁部１４６ａの間には、収容空間１４８ａが生まれる。
【００４８】
第１挟持部１４２ａは、一対の第１側壁部１４６ａと一体部材で形成され、一対の第１側壁部１４６ａのそれぞれの端部から内側に約９０℃折り曲げられて形成されている。各第１挟持部１４２ａの第１端部１５０ａは、それぞれ対向していて、各第１端部１５０ａの間には、後述する解放部材１６０の第１押圧部１６２ａが挿入される挿入窓が形成される。
【００４９】
図６に示すように、第１底部１４５ａの端面からは、長手方向Ｘに向けて導電性部材１５５を延設している。この導電性部材１５５は、その先端部に接点部１５６を有している。接点部１５６は、板形状を有し、接触子１２４の長手方向Ｘの端部に対して、厚み方向Ｚに重なるように形成されている。接点部１５６と接触子１２４が、厚み方向Ｚの圧力を伴って押し当てることで、接触子１２４と端子部１３９が電気接続される。
【００５０】
図６に示すように、第１弾性部１４４ａは、金属の細長い板状部材が曲げ加工で折り曲げられて、第１支持片１５２ａと、第１挟持部１４２ａと電線１１０の芯線１１１を挟んで係止するための第１保持片１５３ａと、第１挟持片１５４ａとを備えている。第１弾性部１４４ａは、ステンレス鋼で形成されていることが好ましいが、弾性を有する適宜の材料で構成されていればよく、特に限定されることはない。
【００５１】
第１支持片１５２ａは、板状部材の中央部分の平板部分で構成され、第１保持片１５３ａと第１挟持片１５４ａとは各々、板状部材を曲げ加工して形成されている。
【００５２】
第１支持片１５２ａに対して、一方に第１保持片１５３ａが形成され、第１支持片１５２ａに対して、他方に第１挟持片１５４ａが形成されている。第１支持片１５２ａは、第１導電部１４３ａの第１底部１４５ａに当接して、第１保持片１５３ａ及び第１挟持片１５４ａを支持する。
【００５３】
第１保持片１５３ａは、側面から見た形状が略Ｓ字状となるように形成されていて、第１支持片１５２ａに対して外方向に突出している。第１保持片１５３ａの先端部分は、第１支持片１５２ａに対して内方向に折り曲げられていて、後述する電線１１０の芯線１１１が挿入孔１３４に挿入された場合に、第１導電部１４３ａの第１挟持部１４２ａとの間で、芯線１１１を挟んで保持する。第１保持片１５３ａの先端部分は、内方向に曲げられていることにより、芯線１１１を挿入孔１３４から引き抜く場合に、第１保持片１５３ａの先端部分が芯線１１１に引っかかりにくくなるので、芯線１１１を引き抜きやすくなる。
【００５４】
また、第１保持片１５３ａは、第１支持片１５２ａに対して、厚さ方向Ｚに移動自在に撓むように設けられている。
【００５５】
第１挟持片１５４ａは、平板状に形成されて、第１支持片１５２ａに対して、厚さ方向Ｚに移動自在に撓むように設けられている。なお、第１支持片１５２ａは、平板状に形成されているが、平板状に限定されず、第１支持片１５２ａよりも外方向に突出する適宜の形状であればよい。
【００５６】
第１挟持片１５４ａは、電線１１０の芯線１１１が挿入孔１３４に挿入された場合に、第１支持片１５２ａに対して厚さ方向Ｚに移動自在に撓むことによって、第１導電部１４３ａの第１挟持部１４２ａとの間で、芯線１１１を挟んで係止する。
【００５７】
電線１１０は、芯線１１１の周囲を絶縁体で覆った被覆電線が用いられ、電線１１０の端部の被覆を取り除いて露出させた芯線１１１を第１筐体１３０の挿入孔１３４に挿入することにより、第１導電部１４３ａと第１弾性部１４４ａとの間に差し込まれ、この差し込まれた電線１１０を第１弾性部１４４ａの第１挟持片１５４ａで挟んで係止すると共に、第１保持片１５３ａで第１挟持部１４２ａに押圧して電気的に接続できるので、容易に配線できる。
【００５８】
図４に示すように、第２導電部１４３ｂの本体部分である第２本体部１４１ｂは、板状の金属部材が折り曲げられて、側面視略Ｕ字状に形成されていて、第２底部１４５ｂと一対の第２側壁部１４６ｂと第２挟持部１４２ｂとで構成されている。
【００５９】
第２底部１４５ｂは、平面視略矩形状で、設置部１２３に設置される。また、第２底部１４５ｂは、第２導電部１４３ｂの、後述する一対の第２側壁部１４６ｂで囲まれた内部側の略中央に、幅方向Ｙに沿って、厚さ方向Ｚに突出するように、２つの略円柱状の突起１４７ｂが形成されている。この突起１４７ｂを挟むように、後述する２つの第２弾性部１４４ｂが、第２導電部１４３ｂ内に並設される。
【００６０】
一対の第２側壁部１４６ｂは、側面視略矩形状で、第２底部１４５ｂの前後方向の端縁から厚さ方向Ｚに立設するように折り曲げられて形成されている。つまり、一対の第２側壁部１４６ｂは、互いに対向している。これにより、一対の第２側壁部１４６ｂの間には、収容空間１４８ｂが生まれる。
【００６１】
第２挟持部１４２ｂは、一対の第２側壁部１４６ｂと一体部材で形成され、一対の第２側壁部１４６ｂのそれぞれの端部から、内側に約９０℃折り曲げられて形成されている。各第２挟持部１４２ｂの第２端部１５０ｂは、それぞれ対向していて、各第２端部１５０ｂの間には、後述する解放部材１６０の第２押圧部１６２ｂが挿入される挿入窓が形成される。
【００６２】
図６に示すように、第２弾性部１４４ｂは、金属の細長い板状部材が曲げ加工で折り曲げられて、第２支持片１５２ｂと、第２挟持部１４２ｂと電線１１０を挟んで抜け止めするための第２保持片１５３ｂと、第２挟持片１５４ｂとを備えている。第２弾性部１４４ｂは、ステンレス鋼で形成されていることが好ましいが、弾性を有する適宜の材料で構成されていればよく、特に限定されることはない。
【００６３】
第２支持片１５２ｂは、板状部材の中央部分の平板部分で構成され、第２保持片１５３ｂと第２挟持片１５４ｂとは各々、板状部材を曲げ加工して形成されている。
【００６４】
第２支持片１５２ｂに対して、一方に第２保持片１５３ｂが形成され、第１支持片１５２ａに対して、他方に第２挟持片１５４ｂが形成されている。第２支持片１５２ｂは、第２導電部１４３ｂの第２底部１４５ｂに当接して、第２保持片１５３ｂ及び第２挟持片１５４ｂを支持する。
【００６５】
第２保持片１５３ｂは、側面から見た形状が略Ｓ字状となるように形成されていて、第２支持片１５２ｂに対して外方向に突出している。第２保持片１５３ｂの先端部分は、内方向に折り曲げられていて、後述する電線１１０の芯線１１１が挿入孔１３４に挿入された場合に、第２導電部１４３ｂの第２挟持部１４２ｂとの間で、芯線１１１を挟んで保持する。第２保持片１５３ｂの先端部分は、外方向に曲げられていることにより、芯線１１１を挿入孔１３４から引き抜く場合に、第２保持片１５３ｂの先端部分が芯線１１１に引っかかりにくくなるので、芯線１１１を引き抜きやすくなる。
【００６６】
また、第２保持片１５３ｂは、第２支持片１５２ｂに対して、厚さ方向Ｚに移動自在に撓むように設けられている。
【００６７】
第２挟持片１５４ｂは、平板状に形成されて、第２支持片１５２ｂに対して、厚さ方向Ｚに移動自在に撓むように設けられている。なお、第２支持片１５２ｂは、平板状に形成されているが、平板状に限定されず、第２支持片１５２ｂよりも外方向に突出する適宜の形状であればよい。
【００６８】
第２挟持片１５４ｂは、後述する電線１１０の芯線１１１が挿入孔１３４に挿入された場合に、第２支持片１５２ｂに対して厚さ方向Ｚに移動自在に撓むことによって、第２導電部１４３ｂの第２挟持部１４２ｂとの間で、芯線１１１を挟んで係止する。
【００６９】
ここで、本実施の形態の電線１１０は、４組の対になっている８本の電線１１０である。第１筐体１３０には、４組のうち一方の２組の電線１１０が第１端子部１３９ａ及び第２端子部１３９ｂに接続される。第１端子部１３９ａと第２端子部１３９ｂが電線１１０の芯線１１１を挟持して係止している場合、第１端子部１３９ａと第２端子部１３９ｂで電位相が異なっている。
【００７０】
挿入孔１３４から一対の電線１１０を挿入して、第１端子部１３９ａの一方の第１弾性部１４４ａ、及び第２端子部１３９ｂの一方の第１弾性部１４４ａに一対の電線１１０を挟持して係止させる。また、挿入孔１３４から一対の電線１１０を挿入して、第１端子部１３９ａの他方の第１弾性部１４４ａ、及び第２端子部１３９ｂの他方の第１弾性部１４４ａにもう一対の電線１１０を挟持して係止させる。つまり、４本のうち２本の電線１１０が、送り配線されている。
【００７１】
このように、配線接続器具１２０は、第１端子部１３９ａ、及び第２端子部１３９ｂにそれぞれ２つの第１弾性部１４４ａを備えたため、２組の対の電線１１０を接続でき、端子台を用いる必要がなく、送り配線をすることができるので、配線の短くすることができるので、複数の配線器具１００を接続する場合、小型化することができる。また、配線接続器具１２０は、分電盤（不図示）からの送り配線を容易にすることができるので、配線の作業を効率化することができる。
【００７２】
図４に示すように、解放部材１６０は、例えば、絶縁性の合成樹脂で構成されて、側面視略Ｍ字状で形成されている。解放部材１６０は、第１挟持部１４２ａと第１挟持片１５４ａとによる電線１１０の芯線１１１の挟持、つまり第１挟持部１４２ａと第１挟持片１５４ａとによる挟持して係止される芯線１１１を解放するための部材である。
【００７３】
解放部材１６０は、第１端子部１３９ａ及び第２端子部１３９ｂに対して、通常位置と解放位置との間で相対的に移動可能に構成される。通常位置とは、解放部材１６０が第１挟持部１４２ａと第１挟持片１５４ａとによる芯線１１１の挟持を解放しない状態にあるときの解放部材１６０の位置をいう。一方で、解放位置とは、解放部材１６０が第１挟持部１４２ａと第１挟持片１５４ａとによる芯線１１１の抜け止めを解除する状態にある場合の解放部材１６０の位置をいう。つまり、解放部材１６０は、通常位置から解放位置に移動する場合の、第１挟持片１５４ａを第１支持片１５２ａ側へ近づく向きの力を作用させ、第１挟持片１５４ａによる芯線１１１の移動の規制（挟持）を解放する。図３〜図６では、解放部材１６０が通常位置にある状態を示している。
【００７４】
具体的には、解放部材１６０は、第１押圧部１６２ａと、第２押圧部１６２ｂと、ガイド部１６３と、接続部１６４と、突起部１７０とを備えている。
【００７５】
図７に示すように、接続部１６４は、略直方体状に形成され、第１筐体１３０の表面１３１から突出する突出面１６５を有している。解放部材１６０は、突出面１６５が第１筐体１３０の表面１３１から突出するように嵌入孔１６１に嵌入されている。つまり、解放部材１６０は、少なくとも接続部１６４の一部が第１筐体１３０から露出するように保持されている。突出面１６５は、平面視略矩形状で形成されてあって、第１筐体１３０の嵌入孔１６１と略同じ形状と大きさに形成されている。
【００７６】
突出面１６５は、嵌入孔１６１と略同じ形状と大きさであればよく、嵌入孔１６１が平面視略円形状であれば、突出面１６５も平面視略円形状であってもよく、特に限定されることはない。
【００７７】
突出面１６５は、略矩形状の凹部１６６が形成されている。凹部１６６の大きさや形状は、マイナスドライバーが入る程度の形状、大きさと深さであればよく、特に限定されることはない。こうした構造をとることによって、第１筐体１３０の外側から解放部材１６０を押圧することができる。また、マイナスドライバーで解放部材１６０の凹部１６６を押圧することで、離れた位置からでも解放部材１６０を押圧しやすくなる。
【００７８】
図４に示すように、接続部１６４は、第１押圧部１６２ａと、第２押圧部１６２ｂと、ガイド部１６３とを接続していて、一体形成されている。
【００７９】
第１押圧部１６２ａと、第２押圧部１６２ｂと、ガイド部１６３は、接続部１６４の突出面１６５とは厚さ方向Ｚに対する反対側の面からそれぞれ接続部１６４に対して垂直に延出している。
【００８０】
第１押圧部１６２ａは、略直方体形状に形成されている。第１押圧部１６２ａの先端には、嵌入孔１６１を形成する縁部１６７に掛かるように延設して、略直方体形状の第１延設部１６８ａが側面視略Ｌ字状になるように一体に形成されている。解放部材１６０は、第１押圧部１６２ａの少なくとも一部が、第１本体部１４１ａの挿入窓を通して、第１導電部１４３ａに挿入されている。
【００８１】
第２押圧部１６２ｂは、略直方体形状に形成されている。第２押圧部１６２ｂの先端には、嵌入孔１６１を形成する縁部１６７に掛かるように延設して、略直方体形状の第２延設部１６８ｂが側面視略Ｌ字状になるように一体に形成されている。解放部材１６０は、第２押圧部１６２ｂの少なくとも一部が、第２本体部１４１ｂの挿入窓を通して、第２導電部１４３ｂに挿入されている。
【００８２】
第１押圧部１６２ａの先端は、第１導電部１４３ａに収容された２つの第１弾性部１４４ａの第１保持片１５３ａ及び第１挟持片１５４ａに当接している。第２押圧部１６２ｂの先端は、第２導電部１４３ｂに収容された２つの第２弾性部１４４ｂの第１保持片１５３ａ及び第１挟持片１５４ａに当接している。こうした構造をとることによって、第１挟持部１４２ａ及び第１弾性部１４４ａと、第２挟持部１４２ｂ及び第２弾性部１４４ｂによって、挟持して係止される４つの電線１１０を略同時に解放して、配線作業の効率を向上させることができる。
【００８３】
ガイド部１６３は、略直方体に形成されてあって、第１押圧部１６２ａと第２押圧部１６２ｂとの間に配置されている。第１押圧部１６２ａが第１導電部１４３ａの挿入窓に挿入され、第２押圧部１６２ｂが第２導電部１４３ｂの挿入窓に挿入された場合に、ガイド部１６３は、第１側壁部１４６ａ及び第２側壁部１４６ｂに沿って、第１側壁部１４６ａ及び第２側壁部１４６ｂとの間に略隙間なく挿入される。
【００８４】
つまり、ガイド部１６３は、第１端子部１３９ａと第２端子部１３９ｂとの間を仕切る仕切り部でもある。ガイド部１６３の左右方向の長さは、第１側壁部１４６ａの左右方向の長さの半分よりも長くなるように形成されている。こうした構造をとることによって、ガイド部１６３は、電位相が異なる第１端子部１３９ａと第２端子部１３９ｂが接触して短絡することを抑制することができる。
【００８５】
ガイド部１６３の先端は、第１筐体１３０から第１挟持部１４２ａまでの略中間点に位置する。略中間点とは、具体的には、第１側壁部１４６ａの第１上端部１４９ａから第１底部１４５ａまでの略中間点であって、第１押圧部１６２ａ及び第２押圧部１６２ｂの先端の位置よりも第１底部１４５ａ側にある。また、ガイド部１６３の先端は、解放部材１６０が開放位置に移動した場合に、第１押圧部１６２ａ及び第２押圧部１６２ｂの先端が最大限移動できる距離と同じぐらいの距離を第１底部１４５ａから離れて位置していることが好ましい。こうした構造をとることによって、第１押圧部１６２ａ及び第２押圧部１６２ｂは、押圧された場合に、均一に圧力が加えられるので、電線１１０を第１端子部１３９ａ及び第２端子部１３９ｂから略同時に解放することができ、電線１１０の解除を容易にして、配線の作業効率を向上させることができる。
【００８６】
解放部材１６０が通常位置にある場合、第１押圧部１６２ａは、第１挟持片１５４ａに当接し、第２押圧部１６２ｂは、第２挟持片１５４ｂに当接している。解放部材１６０が押圧されて開放位置にある場合、第１押圧部１６２ａは、第１挟持片１５４ａを垂直に押圧し、第２押圧部１６２ｂが、第２挟持片１５４ｂを垂直に押圧することで、電線１１０を第１端子部１３９ａ及び第２端子部１３９ｂから解放する。
【００８７】
第１押圧部１６２ａ及び第２押圧部１６２ｂは、第１保持片１５３ａ及び第２保持片１５３ｂは押圧せず、第１挟持片１５４ａ及び第１挟持片１５４ａのみ押圧する。こうした構造をとることによって、強い力を加えずに解放部材１６０を押圧することができるので、容易に電線１１０を解放することができる。
【００８８】
（ここから第２筐体の説明）
第２筐体１８０の基本的な構成は第１筐体１３０と同様である。よって、同一箇所には同一符号を付して説明を省略し、異なる箇所のみ説明を行う。
【００８９】
図５に示すように、第２筐体１８０は、基端側部分１３２ｂの長手方向Ｘの長さが、第１筐体１３０の長手方向Ｘの長さに比べて長くなるように形成されている。第２筐体１８０の基端側部分１３２ｂは、第１端子部１３９ａ及び第２端子部１３９ｂを収容する２つの収納室１４０と、収納室１４０と先端側部分１３２ａとの間に形成される第１筐体載置部１８１とで形成されている。
【００９０】
第２筐体１８０は、第１筐体載置部１８１がある表面１３１が、第１筐体１３０の収納室１４０がある表面１３１に対して凹んで第１筐体載置部１８１を成している。
【００９１】
第１筐体１３０は、第２筐体１８０の第１筐体載置部１８１に嵌めて配置される。第１筐体１３０の表面１３１の反対側が第２筐体１８０の表面１３１と対向し、且つ第１挿入孔１３４（第１筐体１３０の挿入孔）と第２挿入孔１３４（第２筐体１８０の挿入孔）が同じ向きになるように第１筐体１３０が第２筐体１８０に配置され、第１挿入孔１３４（第１筐体１３０の挿入孔）と第２挿入孔１３４（第２筐体１８０の挿入孔）との間に第２筐体１８０の解放部材１６０が配置される。
【００９２】
第１筐体１３０の表面１３１は、第２筐体１８０の第１筐体載置部１８１に隙間なく嵌めることができるように、第２筐体１８０の第１筐体載置部１８１の形状に沿って凸状になるように形成されている。
【００９３】
第２筐体１８０は、４組の電線１１０のうち、第１筐体１３０の挿入孔１３４に挿入されない方の２組の電線１１０が、第１端子部１３９ａ及び第２端子部１３９ｂに接続される。
【００９４】
こうした構造をとることによって、第１筐体１３０の解放部材１６０と、第２筐体１８０の解放部材１６０を同時に押圧して、電線１１０を解放することができるので、配線作業の効率を向上させることができる。
【００９５】
また、配線接続器具１２０は、電線１１０を保持する第１筐体１３０、及び第２筐体１８０を備えていることによって、合計８本の電線１１０を配線ダクト１０１に同時に接続することができるので、配線の作業効率を向上させることができると共に、配線器具１００の小型をすることができる。
【００９６】
設置部１２３は、平面視略矩形状の板状で絶縁性の合成樹脂で形成されて、少なくとも２つのネジ孔が形成されている。第２筐体１８０は、一面が開口している側が、設置部１２３に当接して設置される。
【００９７】
ベース部１２１は、平面視略矩形状の板状で、アース端子部１２５と、少なくとも２つのネジ孔が形成されている。ベース部１２１は、例えば、ステンレス鋼で構成されてあるが、ステンレス鋼以外の金属で構成されてあってもよく、特に限定されることはない。ベース部１２１は、設置部１２３の第２筐体１８０が当接している面と反対側の面が当接されている。
【００９８】
ケース部１２２は、矩形状で少なくとも隣接する二面が開口した箱状に形成され、電気絶縁性の合成樹脂で形成されている。ケース部１２２は、第１筐体１３０と、第２筐体１８０と、設置部１２３とを収容し、配線ダクト１０１の開口と、ベース部１２１とで、開口した二面が覆われる。
【００９９】
図７、図８に示すように、ベース部１２１は、第２筐体１８０の挿入孔１３４と所定の間隔Ｌをおいてアース端子部１２５が設けられると共に、第２筐体１８０の挿入孔１３４とアース端子部１２５との間において第２筐体１８０の挿入孔１３４の高さよりも低く形成されている。
【０１００】
アース端子部１２５は、アースプレート１２６と、アース端子１２７（ネジ）とで構成されている。
【０１０１】
アースプレート１２６は、側面視略台形状で、ベース部１２１が折り曲げられて形成されてあって、ベース部１２１が突出している部分である。つまり、アースプレート１２６は、ベース部１２１と一体に形成されている。アースプレート１２６は、ネジ孔が形成されている。
【０１０２】
アース端子１２７は、金属材料で形成されるネジであって、アースプレート１２６のネジ孔に挿入されて固定されている。
【０１０３】
所定の間隔Ｌとは、第２筐体１８０の挿入孔１３４から、アースプレート１２６までの間隔のことである。また、所定の間隔Ｌは、８．０ｍｍ以上であればよい。こうした構造をとることによって、配線接続器具１２０を小型化することができると共に、電線１１０を挿入孔１３４に結線する場合に、アース端子部１２５が邪魔にならないので、容易に配線をすることができる。
【０１０４】
アース端子１２７は、第２筐体１８０を設置部１２３を介してベース部１２１に取り付けられて、第２筐体１８０の挿入孔１３４に電線１１０が挿入された場合、電線１１０の高さよりも低くなるようにアースプレート１２６は突出している。
【０１０５】
こうした構造をとることによって、電線１１０を挿入孔１３４に挿入する場合、アース端子部１２５が邪魔にならずに、容易に配線をすることができる。
【０１０６】
第２筐体１８０の挿入孔１３４とアース端子部１２５との間には、前記ベース部１２１を設置面にネジで取り付けるためのネジ孔が形成されている。ネジ孔は、略円形状に形成されている。
【０１０７】
（第２の実施の形態）
第２の実施形態の基本的な構成は第一の実施形態とほぼ同じである。よって、同一箇所には同一符号を付して説明を省略し、異なる箇所のみ説明を行う。これ以降の実施形態も同様とする。
【０１０８】
図８に示すように、第１筐体１３０は、側面に１３３に２つの挿入孔１３４を形成している。
【０１０９】
２つの挿入孔１３４は、第１筐体１３０の長手方向Ｘにおける先端側部分１３２ａと反対側の側面１３３に、お互い間隔２００を設けて形成されている。
【０１１０】
第２筐体１８０についても同様に形成されているので、説明は省略する。
【０１１１】
アース端子部１２５は、第１挿入孔（以降、一方の挿入孔２０１と称する。）と第２挿入孔（以降、他方の挿入孔２０２と称する）との間に設けられる。
【０１１２】
アース端子部１２５は、第１筐体１３０及び第２筐体の一方の挿入孔２０１及び他方の挿入孔２０２から所定の間隔Ｌをおいて設けられると共に、幅方向Ｙのアース端子部１２５の位置は、一方の挿入孔２０１と他方の挿入孔２０２との間隔２００がある位置になるように形成されている。
【０１１３】
こうした構造をとることによって、電線１１０を第１筐体１３０及び第２筐体１８０に配線する場合に、アース端子部１２５が邪魔にならないので、電線１１０を端子部１３９に容易に結線することができる。
【符号の説明】
【０１１４】
１００    配線器具
１０１    配線ダクト
１０２    開口部
１０３    支持縁部
１０４    ポール
１０５    導体保持部
１０６    導体
１０７    ターミナルプラグ
１０８    コンセントプラグ
１０９    端部
１１０    電線
１１１    芯線
１２０    配線接続器具
１２１    ベース部
１２２    ケース部
１２３    設置部
１２４    接触子
１２５    アース端子部
１２６    アースプレート
１２７    アース端子
１３０    第１筐体
１３１    表面
１３２ａ  先端側部分
１３２ｂ  基端側部分
１３３    側面
１３４    挿入孔
１３５    仕切り壁
１３６    弾性体
１３７    取り付けネジ孔
１３８    仕切り部
１３９    端子部
１３９ａ  第１端子部
１３９ｂ  第２端子部
１４０    収納室
１４１ａ  第１本体部
１４１ｂ  第２本体部
１４２ａ  第１挟持部
１４２ｂ  第２挟持部
１４３ａ  第１導電部
１４３ｂ  第２導電部
１４４ａ  第１弾性部
１４４ｂ  第２弾性部
１４５ａ  第１底部
１４５ｂ  第２底部
１４６ａ  第１側壁部
１４６ｂ  第２側壁部
１４７    突起
１４８ａ  収容空間
１４８ｂ  収容空間
１４９ａ  第１上端部
１４９ｂ  第２上端部
１５０    第１端部
１５０    第２端部
１５２ａ  第１支持片
１５２ｂ  第２支持片
１５３ａ  第１保持片
１５３ｂ  第２保持片
１５４ａ  第１挟持片
１５４ｂ  第２挟持片
１５５    導電性部材
１５６    接点部
１６０    解放部材
１６１    嵌入孔
１６２ａ  第１押圧部
１６２ｂ  第２押圧部
１６３    ガイド部
１６４    接続部
１６５    突出面
１６６    凹部
１６７    縁部
１６８    第１延設部
１６９    先端
１７０    突起
１８０    第２筐体
１８１    第１筐体載置部
２００    間隔
２０１    一方の挿入部
２０２    他方の挿入部
【図１】
2022002178.tif 000003
【図２】
2022002178.tif 000004
【図３】
2022002178.tif 000005
【図４】
2022002178.tif 000006
【図５】
2022002178.tif 000007
【図６】
2022002178.tif 000008
【図７】
2022002178.tif 000009
【図８】
2022002178.tif 000010